(57)【要約】【課題】放送局から番組とともに送信されるメールを受信し、この受信したメールを、現在視聴している番組の表示画面を遮ったり、煩雑な操作をユーザにさせたりすることなく、表示装置に表示することが可能なデジタル放送受信機を提供する。【解決手段】受信したメールを取得するメール情報取得部８と、この取得したメールのデータを字幕データに変換する字幕変換部６と、この変換した字幕データを現在視聴している番組に重畳して表示する信号重畳部７とをデジタル放送受信機に備える。【選択図】図１
2008263487.tif 000002
【特許請求の範囲】
【請求項１】
放送局からデジタル放送波によって番組コンテンツとともに送信されるメールを受信し表示する機能を有するデジタル放送受信機において、
前記デジタル放送波を受信する受信手段と、
前記受信手段で受信した前記デジタル放送波から前記番組コンテンツを抽出する番組コンテンツ抽出手段と、
前記受信手段で受信した前記デジタル放送波から前記メールを抽出するメール情報取得手段と、
前記メール抽出手段で抽出した前記メールを、字幕として表示する形式である字幕データに変換する字幕変換手段と、
前記字幕データの表示要求があった場合に、前記字幕変換手段で変換された字幕データを、前記番組コンテンツ抽出手段で抽出されて本装置内部又は外部に存在する表示手段に表示中の前記番組コンテンツの映像信号に重畳して表示させる字幕データ表示手段と、
を有することを特徴とするデジタル放送受信機。
【発明の詳細な説明】
【技術分野】
【０００１】
本発明は、デジタル放送受信機に係り、特に、放送波によって送信されるメールを受信し表示する機能を有するデジタル放送受信機に関する。
【背景技術】
【０００２】
現在商品化されているデジタル放送受信機の多くは、放送局などから放送波によって送信されるメールを受信し表示する機能を有している。
図８は、上記したメールの受信表示機能を有する従来のデジタル放送受信機の内部構成を示す構成図である。以下に、この図８を用いて従来のデジタル放送受信機の構成を簡単に説明する。
【０００３】
アンテナ１は、地上デジタル放送波や、ＢＳ／ＣＳデジタル衛星放送波などの放送波を受信する。
チューナ２は、アンテナ１で受信した放送波のうちＣＰＵ９によって設定される周波数の放送波にチューニングし、復調して、その復調した復調信号に含まれる少なくとも1つ以上のＭＰＥＧ−ＴＳを抽出する。
【０００４】
ＴＳデコーダ３は、チューナ２で抽出されたＭＰＥＧ−ＴＳから、ＣＰＵ９によって設定される指定チャンネルのＭＰＥＧビデオストリーム、ＭＰＥＧオーディオストリーム、及びＰＳＩ(Program Specification Information)/ＳＩ(Service Information)などの付加情報データを分離する。
【０００５】
ＰＳＩは、主に選局する際に用いられる情報であり、チャンネル、番組コンテンツなどを特定するための情報を含んでいる。また、ＰＳＩには、番組コンテンツの不正コピーを防止するなどを目的とする限定受信システムに関する情報も含まれる。この限定受信システムの情報の1つとして、ＥＭＭメッセージというテーブルが規定されている。このＥＭＭメッセージテーブルは、ユーザ全体、或いは個別のユーザに対して放送局から種々の通知を行なうための「メール」を送信するためのテーブルである。
【０００６】
ＳＩは、主に電子番組表を生成する際に用いられる情報であり、番組コンテンツ毎の番組名、放送予定時間、番組内容などの情報を含んでいる。
ＡＶデコーダ４は、ＴＳデコーダ３によって分離されたＭＰＥＧビデオストリームをビデオ信号にデコードして信号重畳部７に出力するとともに、ＭＰＥＧオーディオストリームをオーディオ信号にデコードして図示しないスピーカなどに出力する。
【０００７】
なおオーディオに関しては本発明とは関係がないので以後の説明は省く。
メール情報取得部８は、ＴＳデコーダ３によって分離された付加情報データからメールのデータを取得し、取得したメールのデータをＯＳＤ（On Screen Display）信号生成部６に出力する。
【０００８】
ＯＳＤ信号生成部６は、ＣＰＵ５からの指示に従って、供給されたメールのデータを基にメール表示のためのＯＳＤ信号を生成する。
信号重畳部７は、入力されるビデオ信号にＯＳＤ信号を重畳してモニタ１１に出力する。
【０００９】
ＣＰＵ９は、ユーザからの指示を受けて、上記各構成部を適宜制御し、選局、映像表示、メール表示などを実行する制御部である。
上記のような従来のデジタル放送受信機において、例えば、特許文献１では、様々なメッセージをＯＳＤ信号によりディスプレイ上に表示する技術が提案されている。
【００１０】
また、特許文献２では、録画機器等への記録再生がうまく行われなかった際にメール機能を用いて受信機自身からユーザへ、誤動作発生を知らせる技術が提案されている。
更に、特許文献３では、テレビ放送から独立してデジタル放送受信機同士のメールやメッセージを扱うことのできる技術が提案されている。
【特許文献１】特許３６９１３７８号
【特許文献２】特開平１１−２７５４７５号公報
【特許文献３】特開平９−２９８７２２号公報
【発明の開示】
【発明が解決しようとする課題】
【００１１】
しかしながら、上記したような従来技術では、メールの機能を用いて利便性の向上が図れる反面、メールを全画面、または大部分の画面にＯＳＤ表示させるため、番組の視聴を妨げてしまうという課題があった。
【００１２】
図３は、上記課題の内容を、横軸を時間軸として時系列的に説明するための図である。
番組視聴中にａの時点でメールを受信すると視聴画面上に、メールを受信したことを示すメール受信ＯＳＤが表示される。通常の場合、このメール受信ＯＳＤは視聴画面の一部分のみに表示される。このメール受信表示ＯＳＤが表示された後、ｂの時点でユーザによって受信メール表示要求がなされると、受信したメール表示するためのメール表示ＯＳＤが表示される。通常の場合、このメール表示ＯＳＤは視聴画面全面に表示される。従って、ｃの時点で番組視聴画面への復帰要求がなされるまでの間、番組視聴画面が隠されてしまうことになる。
【００１３】
本発明は、上記課題を解決したデジタル放送受信機を提供することを目的とする。
【課題を解決するための手段】
【００１４】
そこで上記課題を解決するために本発明は、下記の装置を提供するものである。
放送局からデジタル放送波によって番組コンテンツとともに送信されるメールを受信し表示する機能を有するデジタル放送受信機において、
前記デジタル放送波を受信する受信手段（１,２）と、
前記受信手段で受信した前記デジタル放送波から前記番組コンテンツを抽出する番組コンテンツ抽出手段（３，４）と、
前記受信手段で受信した前記デジタル放送波から前記メールを抽出するメール情報取得手段（３，８）と、
前記メール抽出手段で抽出した前記メールを、字幕として表示する形式である字幕データに変換する字幕変換手段（１２）と、
前記字幕データの表示要求があった場合に、前記字幕変換手段で変換された字幕データを、前記番組コンテンツ抽出手段で抽出されて本装置内部又は外部に存在する表示手段（１１）に表示中の前記番組コンテンツの映像信号に重畳して表示させる字幕データ表示手段（１３，５，７）と、
を有することを特徴とするデジタル放送受信機。
【発明の効果】
【００１５】
本発明によれば、受信したメールを字幕で表示することにより以下の効果を得ることができる。
（１）メールを表示する際、そのメールを全画面、または大部分の画面にＯＳＤ表示させる必要が無いため、番組の視聴を妨げることが無い。
（２）リモコンの字幕ＯＮ／ＯＦＦ切り替えキーの押下など、1つのキー操作によって、簡単にメールの表示／非表示を制御できる。
【発明を実施するための最良の形態】
【００１６】
以下、本発明の実施の形態を説明する。
＜全体構成＞
図１は、本発明のデジタル放送受信機の一実施例の内部構成を示す構成図である。この図１を用いて本発明の一実施例を説明する。
【００１７】
アンテナ１は、地上デジタル放送波や、ＢＳ／ＣＳデジタル衛星放送波などの放送波を受信する。
チューナ２は、アンテナ１で受信した放送波のうちＣＰＵ９によって設定される周波数の放送波にチューニングし、復調して、その復調した復調信号に含まれる少なくとも1つ以上のＭＰＥＧ−ＴＳを抽出する。
【００１８】
ＴＳデコーダ３は、チューナ２で抽出されたＭＰＥＧ−ＴＳから、ＣＰＵ９によって設定される指定チャンネルのＭＰＥＧビデオストリーム、ＭＰＥＧオーディオストリーム、及びＰＳＩ（Program Specification Information）/ＳＩ（Service Information）などの付加情報データを分離する。
【００１９】
ＰＳＩは、主に選局する際に用いられる情報であり、チャンネル、番組コンテンツなどを特定するための情報を含んでいる。また、ＰＳＩには、番組コンテンツの不正コピーを防止するなどを目的とする限定受信システムに関する情報も含まれる。この限定受信システムの情報の1つとして、ＥＭＭメッセージというテーブルが規定されている。このＥＭＭメッセージテーブルは、ユーザ全体、或いは個別のユーザに対して放送局から種々の通知を行なうための「メール」を送信するためのテーブルである。
【００２０】
ＳＩは、主に電子番組表を生成する際に用いられる情報であり、番組コンテンツ毎の番組名、放送予定時間、番組内容などの情報を含んでいる。
ＡＶデコーダ４は、ＴＳデコーダ３によって分離されたＭＰＥＧビデオストリームをビデオ信号にデコードして信号重畳部７に出力するとともに、ＭＰＥＧオーディオストリームをオーディオ信号にデコードして図示しないスピーカなどに出力する。
【００２１】
なおオーディオに関しては本発明とは関係がないので以後の説明は省く。
メール情報取得部８は、ＴＳデコーダ３によって分離された付加情報データから前述のＥＭＭメッセージテーブルを抽出し、このテーブルからメールを取得する。メールはユーザ全体に宛てた全体メールと、個々のユーザに宛てた個別メールとがある。全体メールは、全て取得する。個別メールは、ＩＣカード９から得られるＩＤ番号と、メールに含まれるＩＤ番号とを比較して一致した場合のみ、このＩＤカード９の所有者へあてたメールであると判断して取得する。
【００２２】
また、メールには、放送局から送信されるメール以外に、受信機自身が、装置の状態をユーザに通知するためのメール（内部メール）がある。この内部メールは、このメール情報取得部８が自ら生成する場合もあるし、他の各ブロックで生成されたものをＣＰＵ５がメール情報取得部８へ供給する場合もある。
【００２３】
上記のようにして取得又は生成したメールのデータをＯＳＤ号生成部６又は字幕変換部１２に出力する。
メールのデータをＯＳＤ信号生成部６に出力するか、字幕変換部１２に出力するかは、ユーザの設定によって決定される。以降では、字幕変換部１２に出力されるように設定されている場合を説明する。
【００２４】
ユーザが受信したメールを読むことを希望し、リモコン１３の字幕キー押下をした場合、メール情報取得部８から字幕変換部１２に取得したメールの情報が送られる。
字幕変換部１２は、入力されたメールのデータを、予め定められている字幕表示フォーマットに従って変換し、変換した字幕データを基に字幕表示信号を生成する。この字幕変換部は、通常の映画番組コンテンツなどで字幕を表示するためのリソースを共用しても良い。
【００２５】
ＯＳＤ信号生成部６は、ＣＰＵ５からの指示に従って、供給されたメールのデータを基にメール表示のためのＯＳＤ信号を生成する。
信号重畳部７は、入力されるビデオ信号にＯＳＤ信号及び字幕表示信号を重畳してモニタ１１に出力する。
【００２６】
ＣＰＵ９は、ユーザからの指示を受けて、上記各構成部を適宜制御し、選局、映像表示、電子番組表表示などを実行する制御部である。
上記のような構成によりメールを字幕として表示することで、番組視聴中にメールを受信した場合にその受信をユーザに通知するためのＯＳＤ表示を実行してしまい、そのＯＳＤ表示によって番組の視聴が妨げられてしまうのを防ぐことができるという効果を得ることができる。また、実際にメールを表示する際に、そのメールを全画面にＯＳＤ表示させるため、番組の視聴が中断されてしまうのを防ぐことができるという効果を得ることができる。
【００２７】
図５は、本実施例による上記効果の内容を、横軸を時間軸として時系列的に説明するための図である。
番組視聴中にａの時点でメールを受信すると視聴画面上に、メールを受信したことを示すメール受信ＯＳＤが表示される。通常の場合、このメール受信ＯＳＤは視聴画面の一部分のみに表示される。このメール受信表示ＯＳＤが表示された後、ｂの時点でユーザによって受信メール表示要求がなされると、この受信メールのデータを字幕データに変換して字幕によって表示する。字幕による表示なので、従来例のように、メール表示ＯＳＤによって視聴画面の全画面、または大部分の画面が隠されてしまうことがなく、ｃの時点で番組視聴画面への復帰要求がなされるまでの間でも、番組視聴が可能となる。
＜メール表示処理の流れ１＞
図６は、上記のデジタル受信機を用いてメールを表示する処理の流れを説明するフローチャートである。この第１実施例は、受信したメールの全文をユーザからの要求で表示する場合の例である。なお、この処理の主体は、特に記述が無い場合はＣＰＵ５である。
【００２８】
番組視聴中にメールを受信したら、視聴画面上にメール受信を通知するためのメール受信ＯＳＤ（部分ＯＳＤ）を表示する（ステップＳ１０１）。
次にステップＳ１０２で、受信を通知したメールの表示要求がユーザによる所定のリモコンキー押下などで入力されるまで待機する。押下するリモコンキーとしては、例えば字幕ＯＮ／ＯＦＦキーなどを割り当てると良い。
【００２９】
メールの表示要求が入力されたらステップＳ１０３に処理を移行する。
ステップＳ１０３では、メール受信ＯＳＤを消去する。
次にステップＳ１０４で、既にメールが字幕として表示されているか否かを確認する。
表示されていた場合はステップＳ１０５へ処理を移行する。表示されていなかった場合はステップＳ１０６へ処理を移行する。
【００３０】
ステップＳ１０５では、既に字幕として表示中のメールを消去し、ステップＳ１０２へ処理を戻す。
ステップＳ１０６では、字幕変換部１２で字幕データに変換されたメールを表示し、その後、ステップＳ１０２へ処理を戻す。
【００３１】
以上の処理によって、字幕としてメールが表示された画面の例を図７に示す。
＜メール表示処理の流れ２＞
図９は、上記とは別のメールを表示する処理の流れを説明するフローチャートである。この例は、受信したメールの題名のみを字幕で表示し、その後、にユーザによって本文表示要求がなされたときに、メールの本文を字幕で表示する場合の例である。なお、この処理の主体は、特に記述が無い場合はＣＰＵ５である。
【００３２】
番組視聴中にメールを受信したら、視聴画面上にメール受信を通知するためのメール受信ＯＳＤ（部分ＯＳＤ）を表示する（ステップＳ２０１）。
次にステップＳ２０２で、受信を通知したメールの表示要求がユーザによる所定のリモコンキー押下などで入力されるまで待機する。押下するリモコンキーとしては、例えば字幕ＯＮ／ＯＦＦキーなどを割り当てると良い。
【００３３】
メールの表示要求が入力されたらステップＳ２０３に処理を移行する。
ステップＳ２０３では、メール受信ＯＳＤを消去する。
次にステップＳ２０４で、既にメールが字幕として表示されているか否かを確認する。
表示されていた場合はステップＳ２０５へ処理を移行する。表示されていなかった場合はステップＳ２０６へ処理を移行する。
【００３４】
ステップＳ２０５では、既に字幕として表示中のメールを消去し、ステップＳ２０２へ処理を戻す。
ステップＳ２０６では、字幕変換部１２で字幕データに変換されたメールのうち、まず題名のみを表示する。
【００３５】
そしてステップＳ２０７において、上記ステップで表示した題名のメールの本文の表示要求がユーザによる所定のリモコンキー押下などで、所定時間以内に入力されたか否かを判定する。押下するリモコンキーとしては、例えばステップＳ２０２で使用する字幕ＯＮ／ＯＦＦキーとは別のキーを割り当てると良い。
【００３６】
図１０は、このステップＳ２０７時での表示画面の例である。題名を表示しているとともに、本文表示のための割り当てたキー（ＸＸボタン）の押下を促すメッセージも表示している例である。
【００３７】
メールの本文の表示要求が入力されたらステップＳ２０８に処理を移行する。
メールの本文の表示要求が入力されなかったらステップＳ２０２に処理を戻す。
ステップＳ２０８では、字幕変換部１２で字幕データに変換されたメールのうち本文部分を表示し、その後、ステップＳ２０２へ処理を戻す。
【図面の簡単な説明】
【００３８】
【図１】本発明のデジタル放送受信機の一実施例の構成図である。
【図２】従来のメール表示画面の一例である。
【図３】従来のメール受信による画面変化の様子を示した図である。
【図４】字幕表示画面の一例である。
【図５】本実施例のメール受信による画面変化の様子を示した図である。
【図６】メール表示処理の流れ１を説明するフローチャートである。
【図７】メール表示処理の流れ１によるメール表示画面の一例である。
【図８】従来のデジタル放送受信機の構成図である。
【図９】メール表示処理の流れ２を説明するフローチャートである。
【図１０】メール表示処理の流れ２によるメール表示画面の一例である。
【符号の説明】
【００３９】
１  アンテナ
２  チューナ
３  ＴＳデコーダ
４  ＡＶデコーダ
５  ＣＰＵ
６  ＯＳＤ表示生成部
７  信号重畳部
８  メール情報取得部
９  ＩＣカード
１０  メモリ
１１  モニタ
１２  字幕変換部
１３  リモコン
【図１】
2008263487.tif 000003
【図２】
2008263487.tif 000004
【図３】
2008263487.tif 000005
【図４】
2008263487.tif 000006
【図５】
2008263487.tif 000007
【図６】
2008263487.tif 000008
【図７】
2008263487.tif 000009
【図８】
2008263487.tif 000010
【図９】
2008263487.tif 000011
【図１０】
2008263487.tif 000012